(57)【要約】【課題】光学読取装置の照明光を操作者が眩しく感じることなく視認できるようにする。【解決手段】前面に操作部を備えた顧客操作型端末装置において、前記操作部に形成されたリーダ窓２ｂと、リーダ窓２ｂを通過するように照明光を照射する光源２４と、リーダ窓２ｂにかざされた媒体に照射された照明光の反射光を読取るセンサ２５と有する光学読取装置２を備え、リーダ窓２ｂの近傍に、光拡散処理された光拡散フィルム２３ａを設けた。【選択図】        図４
2014130459.tif 000002
【特許請求の範囲】
【請求項１】
前面に操作部を備えた顧客操作型端末装置において、
前記操作部に形成された開口部と、前記開口部を通過するように照明光を照射する光源と、前記開口部にかざされた媒体に照射された照明光の反射光を読取る読取部とを有する光学読取装置を備え、
前記開口部の近傍に、光拡散処理された光拡散部材を設けたことを特徴とする顧客操作型端末装置。
【請求項２】
請求項１に記載の顧客操作型端末装置において、
前記光拡散部材は、前記開口部の内周に配設され、前記照明光を拡散することを特徴とする顧客操作型端末装置。
【請求項３】
請求項１に記載の顧客操作型端末装置において、
前記光拡散部材は、多角形状に形成された前記開口部の内側の少なくともひとつの角部に配設され、前記照明光を拡散する
ことを特徴とする顧客操作型端末装置。
【請求項４】
請求項１に記載の顧客操作型端末装置において、
前記光拡散部材は、多角形状に形成された前記開口部の内側の少なくともひとつの辺部に配設され、前記照明光を拡散することを特徴とする顧客操作型端末装置。
【請求項５】
請求項１に記載の顧客操作型端末装置において、
前記光学読取装置は、前記光源の照明光を入射する入射口と、前記開口部の近傍に配設され、前記照明光を放つ発光口とを有する導波路を備え、
前記光拡散部材は、前記発光口に配設され、前記照明光を拡散することを特徴とする顧客操作型端末装置。
【請求項６】
請求項１から請求項５のいずれか１項に記載の顧客操作型端末装置において、
前記光拡散部材は、光拡散フィルムであることを特徴とする顧客操作型端末装置。
【請求項７】
請求項５に記載の顧客操作型端末装置において、
前記発光口は、光透過部材で閉塞され、
前記光拡散部材は、表面が光拡散処理された前記光透過部材であることを特徴とする顧客操作型端末装置。
【請求項８】
請求項１から請求項７のいずれか１項に記載の顧客操作型端末装置において、
前記開口部は、操作者の腕の高さに配設され、
前記光源は、操作者の腕近傍に向けて前記照明光を発光することを特徴とする顧客操作型端末装置。
【発明の詳細な説明】
【技術分野】
【０００１】
本発明は、バーコードを読み取る光学読取装置を備えた顧客操作型端末装置に関する。
【背景技術】
【０００２】
従来の顧客操作型端末装置は、顧客の入力操作を受付けるバーコードリーダやタッチパネル式ディスプレイを備え、入力情報を記録したバーコードまたは２次元コードを光学読取装置としてのバーコードリーダのリーダ窓にかざして読み取らせるようにしているものがある（例えば、特許文献１参照）。
【０００３】
従来の顧客操作型端末装置のバーコードリーダは、図１２に示すように、図示しないセンサおよび光源を有するバーコードリーダ１０２と、バーコードリーダ１０２のセンサおよび光源が向けられた開口部を形成するリーダ窓１０４と、バーコードリーダ１０２とリーダ窓１０４とを結び内側を黒色にした四角錐状のダクト１０５と、バーコードリーダ１０２およびダクト１０５を支持するフレーム１０６とにより構成され、バーコードを読ませるとき、顧客自身がリーダ窓１０４にバーコードをかざし、バーコードの表示面をバーコードリーダ１０２の方向に向ける。
バーコードリーダ１０２は、顧客操作型端末装置の制御部からの指示によりバーコードの読み取り動作を開始し、光源から照明光を発光する。この照明光は赤色であることが多く、顧客はその光を視認してバーコードの読み取り位置および読み取り動作中であることを認識し、リーダ窓１０４にバーコードをかざして読み取らせるようにしている。
【先行技術文献】
【特許文献】
【０００４】
【特許文献１】特開２００５−２５０８５８号公報（段落「０００８」〜段落「００１２」、図１、図２）
【発明の概要】
【発明が解決しようとする課題】
【０００５】
しかしながら、上述した従来の技術においては、顧客操作型端末装置の光学読取装置としてのバーコードリーダおよびリーダ窓を、操作者にバーコードリーダの光源の照明光が視認できるように実装する場合、照明光の発光方向を操作者の目に向けると操作者の目に照明光が入るため、操作者が眩しさを感じてしまう。また、眩しさを避けるため照明光の発光方向を操作者の目の方向から避けると操作者が照明光を視認できなくなるため、バーコードリーダが動作中かどうかを認識しづらいという問題がある。
本発明は、このような問題を解決することを課題とし、光学読取装置の照明光を操作者が眩しく感じることなく、動作状態を視認できるようにすることを目的とする。
【課題を解決するための手段】
【０００６】
そのため、本発明は、前面に操作部を備えた顧客操作型端末装置において、前記操作部に形成された開口部と、前記開口部を通過するように照明光を照射する光源と、前記開口部にかざされた媒体に照射された照明光の反射光を読取る読取部とを有する光学読取装置を備え、前記開口部の近傍に、光拡散処理された光拡散部材を設けたことを特徴とする。
【発明の効果】
【０００７】
このようにした本発明は、光学読取装置の照明光を操作者が眩しく感じることなく、動作状態を視認できるという効果が得られる。
【図面の簡単な説明】
【０００８】
【図１】第１の実施例における顧客操作型端末装置の外観斜視図
【図２】第１の実施例における顧客操作型端末装置の制御構成を示すブロック図
【図３】第１の実施例における光学読取装置の説明図
【図４】第１の実施例における光学読取装置の説明図
【図５】第１の実施例における光学読取装置の照明光の照射範囲の説明図
【図６】第１の実施例におけるバーコード読み取り動作の流れを示すフローチャート
【図７】第２の実施例における光学読取装置の説明図
【図８】第２の実施例における光学読取装置の斜視図
【図９】第３の実施例における光学読取装置の斜視図
【図１０】第４の実施例における光学読取装置の斜視図
【図１１】第５の実施例における光学読取装置の斜視図
【図１２】従来例における光学読取装置の斜視図
【発明を実施するための形態】
【０００９】
以下、図面を参照して本発明による顧客操作型端末装置の実施例を説明する。
【実施例１】
【００１０】
図１は第１の実施例における顧客操作型端末装置の外観斜視図である。
図１において、顧客操作型端末装置１００は、例えば駅や空港またはコンビニエンスストア等に設置され、顧客の操作を受付けて乗車券、航空券、または入場券等の各種チケットの発行等を行うものである。
顧客操作型端末装置１００は、筐体としての装置本体１の前面に、顧客の操作を受付けるための操作部として、情報をコード化したバーコードを読み取るバーコードリーダ２ａおよびリーダ窓２ｂからなる光学読取装置２と、操作表示部としてのタッチパネル式ディスプレイ３と、発券口５と、スピーカ６とを備えている。
【００１１】
光学読取装置２は、顧客の操作によりリーダ窓２ｂにかざされた各種バーコード（例えば、携帯端末の表示部に表示されたバーコードやパンフレット等に印刷または貼付されたバーコード等）をバーコードリーダ２ａで読み取るものであり、装置本体１の前面に形成された開口窓としてのリーダ窓２ｂの奥部にバーコードリーダ２ａが配置されている。なお、本実施例において、バーコードは、情報をコード化したものであり、１次元バーコードや２次元コード等である。
【００１２】
タッチパネル式ディスプレイ３は、顧客の操作を誘導・案内する画面等を表示する表示部としてのディスプレイと、顧客の入力操作を受付ける入力部としてのタッチパネルとを備えている。
発券口５は、後述する発券プリンタにより印刷された各種チケットを排出するものである。
スピーカ６は、音声や効果音等を発生させるものであり、顧客の操作の誘導・案内等を行う。
【００１３】
なお、本実施例では、顧客操作型端末装置１００の前面には、光学読取装置２、タッチパネル式ディスプレイ３、およびスピーカ６が配設されているものとして説明するが、それらに加え、硬貨の投入を受付ける硬貨投入口、硬貨を排出する硬貨排出口、紙幣の挿入を受付ける紙幣挿入口、紙幣を排出する紙幣排出口、カードの挿入排出口、および数字キーからなるテンキー部等が配設されているものであってもよい。
【００１４】
図２は第１の実施例における顧客操作型端末装置の制御構成を示すブロック図である。
図２において、顧客操作型端末装置１００は、光学読取装置２と、タッチパネル式ディスプレイ３と、スピーカ６と、制御ユニット１１と、発券プリンタ１２と、電源ユニット１４とから構成されている。
制御ユニット１１は、制御部としてのＣＰＵ（Ｃｅｎｔｒａｌ  Ｐｒｏｃｅｓｓｉｎｇ  Ｕｎｉｔ）１１１と、記憶部としてのメモリ１１２およびＨＤＤ（Ｈａｒｄ  Ｄｉｓｋ  Ｄｒｉｖｅ）１１３と、通信部としてのＩ／Ｆ（１１４ａ、１１４ｂ、１１４ｃ）およびＶｉｄｅｏＩ／Ｆ１１４ｄと、ＡｕｄｉｏＯＵＴ１１５と、通信制御部としてのＬＡＮ（Ｌｏｃａｌ  Ａｒｅａ  Ｎｅｔｗｏｒｋ）制御部１１６とから構成されている。
【００１５】
ＣＰＵ１１１は、メモリ１１２に記憶された制御プログラム（ソフトウェア）に基づいて客操作型端末装置１００全体の動作を制御する中央処理装置である。
メモリ１１２は、ＣＰＵ１１１で実行される制御プログラムや各種制御データを記憶する。ＨＤＤ１１３は、ＣＰＵ１１１で実行される制御プログラムやアプリケーションプログラム、画面情報等の各種データを記憶する。
発券プリンタ１２は、印刷機構および発券機構を備え、制御ユニット１１から指示を受けて各種チケットに印刷を行い、印刷された各種チケットを発行するものである。
【００１６】
スピーカ６は、制御ユニット１１からの指示により音声等を発生させるものであり、顧客の操作の誘導・案内等を行う。
光学読取装置２はＩ／Ｆ１１４ａを介して制御ユニット１１と接続され、タッチパネル式ディスプレイ３のタッチパネルはＩ／Ｆ１１４ｂを介して制御ユニット１１と接続され、発券プリンタ１２はＩ／Ｆ１１４ｃを介して制御ユニット１１と接続されている。また、タッチパネル式ディスプレイ３のディスプレイはＶｉｄｅｏＩ／Ｆ１１４ｄを介して制御ユニット１１と接続され、制御ユニット１１からの画像データを受信する。さらに、スピーカ６はＡｕｄｉｏＯＵＴ１１５を介して制御ユニット１１と接続され、制御ユニット１１からの音声信号を受信する。
【００１７】
ＬＡＮ制御部１１６は、制御ユニット１１と通信回線としてのＬＡＮで接続された図示しない他の装置との間で通信制御を行うものである。
電源ユニット１４は、光学読取装置２、タッチパネル式ディスプレイ３、発券プリンタ１２および制御ユニット１１を含め顧客操作型端末装置１００全体に電力を供給するものである。
【００１８】
図３は第１の実施例における光学読取装置の説明図であり、顧客操作型端末装置の側断面図である。
図３において、顧客操作型端末装置１００の前面には、リーダ窓２ｂを含む光学読取装置２およびタッチパネル式ディスプレイ３が配設され、顧客操作型端末装置１００を操作する操作者の目の高さと略同じ高さまたはやや低い位置にタッチパネル式ディスプレイ３が配置され、そのタッチパネル式ディスプレイ３の下方であり、操作者の肘の高さと略同じ高さまたはやや低い位置にリーダ窓２ｂを含む光学読取装置２が配置されている。
リーダ窓２ｂは、顧客操作型端末装置１００の前面に形成された矩形の開口部としての開口窓であり、ガラスやアクリル等の光透過部材で形成され、操作者によりバーコードをかざす部位である。
【００１９】
バーコードリーダ２ａは、リーダ窓２ｂから所定の距離を保持して顧客操作型端末装置１００の内部に配置され、リーダ窓２ｂにかざされたバーコード５０に照明光（例えば、赤色光）を照射、すなわちリーダ窓２ｂを通過するように照明光を照射する光源２４と、リーダ窓２ｂにかざされた媒体（バーコード５０）に照射した照明光の反射光を読取るＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）の半導体撮像素子等で構成された読取部としてのセンサ２５とがリーダ窓２ｂに向けて配置されて構成されている。
【００２０】
また、リーダ窓２ｂは、図５に示すように、操作者の略腕の高さであって、操作者の肘の近傍に向けて配設されており、光源２４から発光される照明光が照射される範囲５１は操作者の目から離れた腕に向けられている。
さらに、バーコードリーダ２ａは、図７に示すように、光源２４とリーダ窓２ｂとが略水平になるように配置されていてもよい。
【００２１】
図４は第１の実施例における光学読取装置の説明図であり、図４（ａ）は光学読取装置の斜視図、図４（ｂ）は光学読取装置の側断面図である。
図４において、光学読取装置２のバーコードリーダ２ａは、リーダ窓２ｂに向けて配置され、またバーコードリーダ２ａとリーダ窓２ｂとの間には、略四角錐状のダクト２１が配置され、バーコードリーダ２ａおよびダクト２１は、フレーム２２に支持されている。
【００２２】
矩形状のリーダ窓２ｂが形成されたダクト２１の端部、すなわちリーダ窓２ｂの近傍には、所定の幅を保持して矩形状に形成され、表面に光拡散処理としてのマット処理を施した光拡散部材としての光拡散フィルム２３ａが、リーダ窓２ｂの内側周囲に、窓枠を形成するように、貼付されている。なお、光拡散フィルム２３ａは、リーダ窓２ｂの光源２４側の面（裏面）に貼付してもよく、またその反対側の面（おもて面）に貼付するようにしてもよい。
【００２３】
図４（ｂ）に示すように、バーコードリーダ２ａの光源２４から発光された照明光２４ａが光拡散フィルム２３ａに照射されると、その光はマット処理された光拡散フィルム２３ａの表面において屈折し、照明光２４ａの照射方向に拡散する。
このように、本実施例では、光拡散フィルム２３ａをリーダ窓２ｂの内周に配設している。なお、本実施例では、リーダ窓２ｂを矩形状に形成されているものとして説明したが、それに限られることなく、円形状、楕円状または矩形以外の多角形状であってもよい。
【００２４】
上述した構成の作用について説明する。
顧客操作型端末装置が行うバーコード読み取り動作を図６の第１の実施例におけるバーコード読み取り動作の流れを示すフローチャートの図中Ｓで表すステップにしたがって図２および図４を参照しながら説明する。
Ｓ１０１：顧客操作型端末装置１００の光学読取装置２は、制御ユニット１１からバーコードを読み取る命令として読み取りコマンドを受信する。
【００２５】
Ｓ１０２：読み取りコマンドを受信した光学読取装置２は、照明光を発する光源２４を点灯または点滅させる。
このとき、光源２４から発光される照明光２４ａは、光拡散フィルム２３ａにも照射されて光拡散フィルム２３ａで拡散する。
Ｓ１０３：光学読取装置２は、センサ２５の入力を開始する。
Ｓ１０４：光学読取装置２は、バーコードの読み取りを中止するキャンセルコマンドを受信したか否かを判定し、キャンセルコマンドを受信したと判定すると処理をＳ１０９へ移行して読み取り動作を中止し、キャンセルコマンドを受信していないと判定すると処理をＳ１０５へ移行して読み取り動作を継続する。
【００２６】
Ｓ１０５：光学読取装置２は、センサ２５の撮像範囲内に読み取り対象であるバーコードが存在するか否かを判定し、バーコードが存在すると判定すると処理をＳ１０６へ移行し、バーコードが存在しないと判定すると処理をＳ１０４へ移行する。
Ｓ１０６：バーコードが存在すると判定した光学読取装置２は、センサ２５の入力画像のデコード処理を行い、バーコードから読み取った情報であるバーコードデータを生成する。
【００２７】
Ｓ１０７：光学読取装置２は、デコード処理が正常に終了したか否かを判定し、正常に終了したと判定すると処理をＳ１０８へ移行し、正常に終了しなかったと判定すると処理をＳ１０４へ移行し、再度バーコードの読み取りを行う。
Ｓ１０８：デコード処理が正常に終了したと判定した光学読取装置２は、生成したバーコードデータを制御ユニット１１へ送信する。
Ｓ１０９：光学読取装置２は、光源２４を消灯する。
【００２８】
Ｓ１１０：光源２４を消灯した光学読取装置２は、センサ２５の入力を停止し、バーコード読み取り動作を終了する。
このように、顧客操作型端末装置１００の前面に形成されたリーダ窓２ｂの周囲に光拡散フィルム２３ａを設けたことにより、光拡散フィルム２３ａに照射された照明光２４ａは操作者側に拡散し、操作者は照明光２４ａの眩しさを感じることなく、照明光２４ａの点灯・点滅・消灯を視認してリーダ窓２ｂの位置を確認することができる。
【００２９】
また、操作者の目から離れた腕近傍に向けられたリーダ窓２ｂの表面を光源２４から照射された照明光２４ａによって光らせることができるため、操作者に眩しさを感じさせることなく、かつ光学読取装置２のリーダ窓２ｂの位置および読み取り動作中であることを視認させることができるようになる。
さらに、マット処理を施した光拡散フィルムをリーダ窓２ｂの周囲に設けるようにしたため、安価な製造コストで本発明を実現することができる。
【００３０】
以上説明したように、第１の実施例では、リーダ窓の周囲に光拡散フィルムを設けたことにより、顧客操作型端末装置を操作する顧客は光学読取装置の照明光の眩しさを感じることなく、照明光による光拡散フィルムの点灯・点滅・消灯を視認してリーダ窓の位置を確認することができるという効果が得られる。すなわち、光学読取装置の光源から発光される照明光の照射方向が顧客の目と異なる方向であってもリーダ窓を光らせることができるため、顧客は光学読取装置の照明光の眩しさを感じることなく、照明光による光拡散フィルムの点灯・点滅・消灯を視認してリーダ窓の位置を確認することができるという効果が得られる。
また、光拡散フィルムをリーダ窓の周囲に設けるようにしたことにより、安価な顧客操作型端末を提供することができるという効果が得られる。
【実施例２】
【００３１】
第２の実施例の構成は、光学読取装置の光拡散フィルムの構成が第１の実施例の構成と異なっている。その第２の実施例の構成を図８の第２の実施例における光学読取装置の斜視図に基づいて説明する。なお、上述した第１の実施例と同様の部分は、同一の符号を付してその説明を省略する。
図８において、矩形状のリーダ窓２ｂが形成されたダクト２１の端部の４つの角部には、略三角形状に形成され、表面に光拡散処理としてのマット処理を施した光拡散部材としての光拡散フィルム２３ｂが貼付されている。なお、光拡散フィルム２３ｂは、リーダ窓２ｂの光源２４側に貼付してもよく、またその反対側に貼付するようにしてもよい。
【００３２】
バーコードリーダ２ａの光源２４から発光された照明光２４ａが光拡散フィルム２３ｂに照射されると、その光はマット処理された光拡散フィルム２３ｂの表面において屈折し、拡散する。
本実施例では、光拡散フィルム２３ｂをリーダ窓２ｂの４つの角部に配設するものとして説明したが、多角形状に形成されたリーダ窓２ｂの内側の少なくともひとつの角部に配設されていればよい。
上述した構成の作用について説明する。
顧客操作型端末装置が行うバーコード読み取り動作は第１の実施例と同様なのでその説明を省略する。
【００３３】
本実施例では、顧客操作型端末装置１００の前面に形成された矩形状のリーダ窓２ｂの４つの角部に略三形状の光拡散フィルム２３ｂを設けたことにより、光拡散フィルム２３ｂに照射された照明光は操作者側に拡散し、操作者は照明光の眩しさを感じることなく、照明光の点灯・点滅・消灯を視認してリーダ窓２ｂの位置を確認することができる。
以上説明したように、第２の実施例では、第１の実施例の効果に加え、バーコードの読み取り範囲を広くすることができ、光学読取装置は、第１の実施例と比較してより大きなバーコードであっても読み取りが可能になるという効果が得られる。
【実施例３】
【００３４】
第３の実施例の構成は、光学読取装置の光拡散フィルムの構成が第１の実施例の構成と異なっている。その第３の実施例の構成を図９の第３の実施例における光学読取装置の斜視図に基づいて説明する。なお、上述した第１の実施例と同様の部分は、同一の符号を付してその説明を省略する。
図９において、矩形状のリーダ窓２ｂが形成されたダクト２１の端部の一辺には、略長方形状に形成され、表面に光拡散処理としてのマット処理を施した光拡散部材としての光拡散フィルム２３ｃが貼付されている。なお、光拡散フィルム２３ｃは、リーダ窓２ｂの光源２４側に貼付してもよく、またその反対側に貼付するようにしてもよい。
【００３５】
バーコードリーダ２ａの光源２４から発光された照明光２４ａが光拡散フィルム２３ｃに照射されると、その光はマット処理された光拡散フィルム２３ｃの表面において屈折し、拡散する。
本実施例では、光拡散フィルム２３ｃをリーダ窓２ｂの１つの辺部に配設するものとして説明したが、多角形状に形成されたリーダ窓２ｂの内側の少なくとも１つの辺部に配設されていればよく、２つ以上の辺部に配設されていてもよい。
上述した構成の作用について説明する。
顧客操作型端末装置が行うバーコード読み取り動作は第１の実施例と同様なのでその説明を省略する。
【００３６】
本実施例では、顧客操作型端末装置１００の前面に形成された矩形状のリーダ窓２ｂの一辺に略長方状の光拡散フィルム２３ｃを設けたことにより、光拡散フィルム２３ｃに照射された照明光は操作者側に拡散し、操作者は照明光の眩しさを感じることなく、照明光の点灯・点滅・消灯を視認してリーダ窓２ｂの位置を確認することができる。
以上説明したように、第３の実施例では、第１の実施例の効果に加え、光拡散フィルムの形状が、チケットの受取りを促す表示ランプ等の他のランプの形状と類似しているため、顧客にとって他の周辺装置を操作する感覚と同じ感覚でリーダ窓の位置を視認することができるという効果が得られる。
【実施例４】
【００３７】
第４の実施例の構成は、光学読取装置のダクトおよび光拡散フィルムの構成が第１の実施例の構成と異なっている。その第４の実施例の構成を図１０の第４の実施例における光学読取装置の斜視図に基づいて説明する。なお、上述した第１の実施例と同様の部分は、同一の符号を付してその説明を省略する。
図１０において、ダクト２１の内部に導波路としての光導波路２６ａを形成し、その光導波路２６ａは、光源２４の近傍に光源２４が発光する照明光を入射する略長方形状の入射口２６ｂと、リーダ窓２ｂの近傍に配設され、入射口２６ｂから入射した照明光を放つ略長方形状の発光口２６ｃとを有している。
【００３８】
発光口２６ｃには、発光口２６ｃを塞ぐように略長方形状に形成され、表面に光拡散処理としてのマット処理を施した光拡散部材としての光拡散フィルム２３ｄが貼付されて配設されている。なお、光拡散フィルム２３ｄは、発光口２６ｃの光源２４側に貼付してもよく、またその反対側に貼付するようにしてもよい。
バーコードリーダ２ａの光源２４から発光された照明光２４ａが光拡散フィルム２３ｄに照射されると、その光はマット処理された光拡散フィルム２３ｄの表面において屈折し、拡散する。
【００３９】
上述した構成の作用について説明する。
顧客操作型端末装置が行うバーコード読み取り動作は第１の実施例と同様なのでその説明を省略する。
本実施例では、光学読取装置２の光源２４から発光された照明光２４ａは、入射口２６ｂから入射し、光導波路２６ａにより発光口２６ｃへ導かれ光拡散フィルム２３ｄに照射される。
【００４０】
このように、顧客操作型端末装置１００の前面に形成された矩形状のリーダ窓２ｂの近傍に略長方状の発光口２６ｃおよび光拡散フィルム２３ｄを設けたことにより、光拡散フィルム２３ｄに照射された照明光は操作者側に拡散し、操作者は照明光の眩しさを感じることなく、照明光の点灯・点滅・消灯を視認してリーダ窓２ｂの位置を確認することができる。
以上説明したように、第４の実施例では、第１の実施例の効果に加え、リーダ窓の近傍に発光口および光拡散フィルムを設けたことにより、リーダ窓の面積を狭くすることなく、操作者は照明光の眩しさを感じることなく、照明光の点灯・点滅・消灯を視認してリーダ窓の位置を確認することができるという効果が得られる。
【実施例５】
【００４１】
第５の実施例の構成は、光学読取装置のリーダ窓の構成が第４の実施例の構成と異なっている。その第５の実施例の構成を図１１の第５の実施例における光学読取装置の斜視図に基づいて説明する。なお、上述した第４の実施例と同様の部分は、同一の符号を付してその説明を省略する。
図１１において、ダクト２１の内部に光導波路２６ａを形成し、その光導波路２６ａは、光源２４の近傍に光源２４が発光する照明光を入射する略長方形状の入射口２６ｂと、リーダ窓２ｂの近傍に入射口２６ｂから入射した照明光を放つ略長方形状の発光口２６ｃとを有している。
【００４２】
発光口２６ｃは、略長方形状に形成され、その表面がヤスリがけ等により光拡散処理された光透過部材としての光拡散部２６ｄが形成され、その光拡散部２６ｄで閉塞されている。なお、光拡散部２６ｄは、発光口２６ｃの光源２４側に形成してもよく、またその反対側に形成するようにしてもよい。
バーコードリーダ２ａの光源２４から発光された照明光２４ａが発光口２６ｃの光拡散部２６ｄに照射されると、その光は光拡散処理された光拡散部２６ｄの表面において屈折し、拡散する。
【００４３】
上述した構成の作用について説明する。
顧客操作型端末装置が行うバーコード読み取り動作は第１の実施例と同様なのでその説明を省略する。
本実施例では、光学読取装置２の光源２４から発光された照明光２４ａは、入射口２６ｂから入射し、光導波路２６ａにより発光口２６ｃへ導かれ発光口２６ｃの光拡散部２６ｄに照射される。
【００４４】
このように、顧客操作型端末装置１００の前面に形成された矩形状のリーダ窓２ｂの近傍に略長方状の光拡散部２６ｄが形成された発光口２６ｃを設けたことにより、光拡散部２６ｄに照射された照明光は操作者側に拡散し、操作者は照明光の眩しさを感じることなく、照明光の点灯・点滅・消灯を視認してリーダ窓２ｂの位置を確認することができる。
以上説明したように、第５の実施例では、第４の実施例の効果に加え、光拡散フィルムが不要になり、光拡散フィルムの剥がれ等がなくなるため、長期間にわたる使用においても、リーダ窓の位置を確認することができるという効果が得られる。
【００４５】
なお、第１の実施例から第５の実施例では、顧客操作型端末装置は、顧客の操作を受付けて乗車券、航空券、または入場券等の各種チケットの発行等を行うものとして説明したが、それに限られることなく、光学読取装置を備えた現金自動預払機や自動振込機等の自動取引装置としてもよい。
また、第１の実施例から第３の実施例で説明した光拡散フィルムに替えて、第５の実施例で説明した光拡散部により照明光を拡散させるようにしてもよく、光拡散フィルムと光拡散部とを組み合わせるようにしてもよい。
【符号の説明】
【００４６】
１    装置本体
２    光学読取装置
２ａ  バーコードリーダ
２ｂ  リーダ窓２ｂ
３    タッチパネル式ディスプレイ
５    発券口
６    スピーカ
１１  制御ユニット
１２  発券プリンタ
１４  電源ユニット
２１  ダクト
２２  フレーム
２３ａ、２３ｂ、２３ｃ、２３ｄ  光拡散フィルム
２４  光源
２５  センサ
２６ａ  光導波路
２６ｂ  入射口
２６ｃ  発光口
２６ｄ  光拡散部
１００  顧客操作型端末装置
【図１】
2014130459.tif 000003
【図２】
2014130459.tif 000004
【図３】
2014130459.tif 000005
【図４】
2014130459.tif 000006
【図５】
2014130459.tif 000007
【図６】
2014130459.tif 000008
【図７】
2014130459.tif 000009
【図８】
2014130459.tif 000010
【図９】
2014130459.tif 000011
【図１０】
2014130459.tif 000012
【図１１】
2014130459.tif 000013
【図１２】
2014130459.tif 000014